(57)【要約】【課題】亡くなったペットの遺骨等を、小さな設置場所に置くことができて通常の生活に負担にならず、しかも、地震等の災害が合った緊急時は勿論のこと、散歩等の通常の生活において、ペットの遺骨等を持ち出したいときは簡単に持ち出すことのできるペット用祭壇を、簡単な構成によって提供すること。【解決手段】遺骨カプセル１０を、直径が１５ｍｍ〜２５ｍｍで長さが４０ｍｍ〜１００ｍｍであって、ペットの遺骨等３０が収納される本体１１と、この本体１１に嵌合される蓋体１２とにより構成するとともに、支持台２０の表面に、遺骨カプセル１０が挿入される支持穴２１を形成したこと。【選択図】図１
2006218054.tif 000002
【特許請求の範囲】
【請求項１】
ペットの遺骨等を収納する遺骨カプセルと、この遺骨カプセルを立てた状態で支持する支持台とからなるペット用祭壇であって、
前記遺骨カプセルを、直径が１５ｍｍ〜２５ｍｍで長さが４０ｍｍ〜１００ｍｍであって、ペットの遺骨等が収納される本体１１と、この本体に嵌合される蓋体とにより構成するとともに、
前記支持台の表面に、前記遺骨カプセルが挿入される支持穴を形成したことを特徴とするペット用祭壇。
【請求項２】
前記支持台の上面に、その長さ方向に沿った写真立て溝を形成したことを特徴とする請求項１に記載のペット用祭壇。
【発明の詳細な説明】
【技術分野】
【０００１】
本発明は、ペットの遺骨や爪、あるいは歯等（以下遺骨等という）を、小さく纏めて祀るためのペット用祭壇に関するものである。
【背景技術】
【０００２】
最近のペットブームによって、亡くなったペットについても人並みに扱いたいという要望が高くなってきており、生前飼っていた人を癒してくれたペットの遺骨等を身近に置いておきたいという要望も高まってきている。
【０００３】
このような要望を満たすための種々なものが、例えば特許文献１〜特許文献３にみられるように提案されてきている。
【特許文献１】特開平０５−１２３３６７号公報、要約、代表図
【特許文献２】特開２００３−３２８５９３号公報、要約、代表図
【特許文献３】特開２００４−１２４６２１号公報、要約、代表図
【発明の開示】
【発明が解決しようとする課題】
【０００４】
特許文献１に記載された「ペツト用骨収納具及びこれを組み合わせた自動搬送式仏壇」は、「家庭内にペットの焼骨を違和感なく置けるようにすると共にこれを利用してスペースを取らないお墓にする」ことを目的としてなされたもので、図１１に示すように、「ペットを形どった置物２内にペットの焼骨を入れてペット用骨収納具１とし、これを仏壇２１と安置場所とを自動的に搬出、搬入できるようにし、供養時に仏壇２１に安置場所からペット用骨収納具１を搬入し、供養が終われば、元の場所に搬出する」といった構成を有したものである。
【０００５】
しかしながら、この特許文献１の「自動搬送式仏壇」では、当該文献の段落００１１にも記載されているように、「１は、外観がペットの犬を形どった置物２と、該置物２内に設けた前記ペットの犬の焼骨を収納するための収納スペース３と、該収納スペース３内に収納した前記焼骨のガタつきを防止する固定体４と、前記収納スペース３を密封するための蓋５とからなる」ものであって、「焼骨のガタつきを防止する固定体４」を必要としている程大きなものとなっている。
【０００６】
つまり、この特許文献１の「自動搬送式仏壇」は、図１１にも示したように大型のものであるため、それ専用の祭壇という大きな場所が必要になるだけでなく、例えば旅行のような外出時や地震等の災害があったときに、一緒に持ち運んだり運び出したりといったことが簡単にはできないものとなっている。
【０００７】
特許文献２にて提案されている「愛玩動物用墓」も、「犬や猫などの愛玩動物用墓に関し、重量が重過ぎないようにして取り扱い性が良好であり、しかも墓としての安定性を確保しうるようにすることを目的とする」ことを目的としてなされたものであり、図１２に示すように、「御影石にて形成された土台１０とステンレス鋼板製の上部筐体１２とから構成され、上部筐体１２は下面に御影石製のベース２５を有し、ベース２５を土台１０の上に載置して使用される。上部筐体１２内の空洞１２Ａに骨壷が収納され、土台１０の空洞１０Ａに遺品が収納される。上部筐体１２の正面の開口は蓋によって開閉可能であり、骨壷収納後にこの開口にペットの写真を飾ることができる」といった構成を有するものである。
【０００８】
この特許文献２の「愛玩動物用墓」も、「御影石にて形成された土台１０」を有するものであるため、非常に重量のある大きなものとなっているのであり、設置のための大きな場所が必要であるだけでなく、簡単には持ち出しができないものとなっている。
【０００９】
そして、特許文献３に記載されている「ペットの墓」も、「設置のために穴を掘る必要がないために場所が限定されなく、管理が容易で耐久性があり、遺骨に雨が触れなく、亡くなったペットを健全に葬ることのできるペットの墓を提供する」を課題としてなされたものであり、図１３に示すように、「下敷きとなる板状の座面石と、その上に置かれて中が納骨室に上が納骨口となる筒形の下台石と、その上に積み上げられる摘み上げ可能な蓋石とからなり、その蓋石が、納骨口を封じる笠石に、摘みとなる起立した棹石を、上台石を介して一体に形成され、笠石を持ち上げて納骨口を開くことにより納骨室に骨壺を収納し得るように構成した」ものであり、室内に簡単に飾ることはとてもできないものとなっている。
【００１０】
要するに、ペットのためのお墓としては従来より種々なものが提案されてきてはいるのであるが、従来のものは、人のためのお墓のように大型過ぎて使用に耐えないだけでなく、室内に飾ることもできないものとなっていて、例えば独居老人が、可愛がっていた猫の遺骨を手近で手狭なところに簡単に置いておくことのできるものではなかったのである。
【００１１】
特に、上述した独居老人にしてみれば、散歩に行くときもペットの遺骨を携えていきたいものであり、そのようにすることが独居生活の癒しにも繋がって、日々の生活に活力を生むことにもなるのである。勿論、散歩から帰ってきたときは、元の位置に簡単に置くことができて、日常生活を可愛がっていたペットと共にすることができれば最高である。
【００１２】
そこで、本発明者は、亡くなったペットの遺骨等を、小さな設置場所に置くことができて通常の生活に負担にならず、しかも、地震等の災害時にペットの遺骨等を持ち出したいときは簡単に持ち出すことのできるペット用祭壇とするにはどうしたらよいか、について種々検討を重ねてきた結果、本発明を完成したのである。
【００１３】
すなわち、本発明の目的とするところは、亡くなったペットの遺骨等を、小さな設置場所に置くことができて通常の生活に負担にならず、しかも、地震等の災害が合った緊急時は勿論のこと、散歩等の通常の生活において、ペットの遺骨等を持ち出したいときは簡単に持ち出すことのできるペット用祭壇を、簡単な構成によって提供することにある。
【課題を解決するための手段】
【００１４】
以上の課題を解決するために、まず、請求項１に係る発明の採った手段は、後述する最良の形態の説明中において使用する符号を付して説明すると、
「ペットの遺骨等３０を収納する遺骨カプセル１０と、この遺骨カプセル１０を立てた状態で支持する支持台２０とからなるペット用祭壇１００であって、
遺骨カプセル１０を、直径が１５ｍｍ〜２５ｍｍで長さが４０ｍｍ〜１００ｍｍであって、ペットの遺骨等３０が収納される本体１１と、この本体１１に嵌合される蓋体１２とにより構成するとともに、
支持台２０の表面に、遺骨カプセル１０が挿入される支持穴２１を形成したことを特徴とするペット用祭壇１００」
である。
【００１５】
すなわち、本発明に係るペット用祭壇１００は、遺骨等３０を収納する遺骨カプセル１０と、この遺骨カプセル１０を立てておくための支持台２０とからなる非常に簡単なものであり、最大部分の寸法がせいぜい２５０ｍｍ程度のものである。また、このペット用祭壇１００は、人のための仏壇の隅に置いておくことができるだけでなく、本棚やちゃぶ台等の日々の生活で使用する種々な家具の隅にも置けるものである。このため、このペット用祭壇１００は、亡くなったペットの遺骨等３０を小さな設置場所に置くことができるものであり、通常の生活の負担にもならないものとなっているのである。
【００１６】
また、このペット用祭壇１００では、その遺骨カプセル１０を、直径が１５ｍｍ〜２５ｍｍで長さが４０ｍｍ〜１００ｍｍであって、ペットの遺骨等３０が収納される本体１１と、この本体１１に嵌合される蓋体１２とにより構成してある。このため、この遺骨カプセル１０は、非常に小さくて、また後述する支持台２０の支持穴２１内に立てて入れることができるため、支持台２０に立てておくことができるだけでなく、この支持穴２１から抜き出して、散歩や旅行時に持ち運ぶことができるものとなっているのである。
【００１７】
さらに、この遺骨カプセル１０は、図１にも示すように、本体１１と、これに嵌合される蓋体１２とにより構成した小さいものであるため、特許文献１のお墓のように、遺骨等３０のガタ付きを防止するための固定材を必要とはしないものとなっているのである。これらの本体１１及び蓋体１２は、後述する最良形態で例示するように、アルミニウム等の金属の引き抜き加工によって形成したものであるが、この遺骨カプセル１０単独で非常に美しいものであり、持ち歩いても違和感のないものとなっている。
【００１８】
勿論、この遺骨カプセル１０は、上述したようなアルミニウム等の金属の引き抜き加工によって形成する他、ガラス、陶磁器、合成樹脂等によって形成してもよいことは言うまでもない。
【００１９】
一方、支持台２０は、後述する最良形態のものでは、幅が２０ｍｍ〜４０ｍｍ、長さが５０ｍｍ〜２５０ｍｍ、そして高さが１５ｍｍ〜３０ｍｍのものとしてあり、非常に小さなものである。また、この支持台２０は、後述する最良形態では、例えば、紫檀や黒檀等の銘木を使用して形成したものである。このような銘木を使用することによって、この支持台２０の自然の木目を十分生かしながら、ペット用祭壇１００としての威厳を保つことができることになる。
【００２０】
また、この支持台２０の表面には、図１、図４、あるいは図７〜図１０に示すように、支持穴２１が形成してある。この支持穴２１は、前述した遺骨カプセル１０を立てて挿入することができるようにしたものであり、遺骨カプセル１０の直径と略同じ大きさにすることにより、散歩に行くときに、この遺骨カプセル１０の抜き出しが簡単に行え、散歩から帰ってきたときの挿入も簡単に行えるようにしたものである。
【００２１】
特に、上述したような独居老人は、簡単に遺骨カプセル１０を抜き出すことができて、これを散歩に行くときに携えていくことができるのであり、このようにすることが独居生活の癒しにも繋がって、日々の生活に活力を生むことにもなるのである。勿論、散歩から帰ってきたときは、遺骨カプセル１０を元の位置に簡単に置くことができて、日常生活を可愛がっていたペットと共にすることができて最高である。
【００２２】
従って、この請求項１に係るペット用祭壇１００は、亡くなったペットの遺骨等３０を、小さな設置場所に置くことができて通常の生活に負担にならず、しかもペットの遺骨等３０を持ち出したいときは簡単に持ち出すことのできるものとなっているのである。
【００２３】
上記課題を解決するために、請求項２に係る発明の採った手段は、上記請求項１に記載のペット用祭壇１００について、
「支持台２０の上面に、その長さ方向に沿った写真立て溝２２を形成したこと」
である。
【００２４】
すなわち、この請求項２のペット用祭壇１００では、図１、図３、あるいは図６に示すように、支持台２０の上面に写真立て溝２２を形成したものであり、この写真立て溝２２内に生前のペットの様子を写した写真を飾ることができるものとなっているのである。
【００２５】
この写真立て溝２２は、図１に示すように、遺骨カプセル１０の後側に位置する支持台２０上に形成して実施してもよいが、遺骨カプセル１０の前側であってもよく、さらには、図６に示すように、遺骨カプセル１０の両側に形成しておいていずれか自由に選択できるようにしておくこともできる。
【００２６】
従って、この請求項２のペット用祭壇１００によれば、上記請求項１のそれと同様な効果を発揮することができる他、亡くなったペットの写真も飾ることができるものとなっているのである。
【発明の効果】
【００２７】
以上、詳述した通り、本発明においては、
「ペットの遺骨等３０を収納する遺骨カプセル１０と、この遺骨カプセル１０を立てた状態で支持する支持台２０とからなるペット用祭壇１００であって、
遺骨カプセル１０を、直径が１５ｍｍ〜２５ｍｍで長さが４０ｍｍ〜１００ｍｍであって、ペットの遺骨等３０が収納される本体１１と、この本体１１に嵌合される蓋体１２とにより構成するとともに、
支持台２０の表面に、遺骨カプセル１０が挿入される支持穴２１を有したものとしたこと」
にその構成上の主たる特徴があり、これにより、亡くなったペットの遺骨等３０を、小さな設置場所に置くことができて通常の生活に負担にならず、しかも、地震等の災害時は勿論、散歩等の通常の生活時において、ペットの遺骨等３０を持ち出したいときは簡単に持ち出すことのできるペット用祭壇１００を、簡単な構成によって提供することができるのである。
【発明を実施するための最良の形態】
【００２８】
次に、上記のように構成した各請求項に係る発明を、図面に示した最良の形態であるペット用祭壇１００について説明するが、このペット用祭壇１００については実施例１、実施例２、及びその他の実施例があるので、それぞれ項を分けて説明することとする。
【実施例１】
【００２９】
図１〜図３には、本発明の実施例１に係るペット用祭壇１００が示してあるが、このペット用祭壇１００は、ペットの遺骨等３０を収納する遺骨カプセル１０と、この遺骨カプセル１０を立てた状態で支持する支持台２０とからなるものである。
【００３０】
遺骨カプセル１０は、直径が１５ｍｍ〜２５ｍｍで長さが４０ｍｍ〜１００ｍｍであって、ペットの遺骨等３０が収納される本体１１と、この本体１１に嵌合される蓋体１２とにより構成してある。これらの本体１１及び蓋体１２は、アルミニウムを引き抜き加工することにより形成したものであり、特に、蓋体１２の先端には、図１に示したように、つまみ１３が一体的に形成してある。このつまみ１３は、図１に示したように、遺骨等３０を収納した本体１１に対して嵌合するときに使用されるとともに、図２に示したように、全体を仏舎利塔をイメージさせるものでもある。なお、このつまみ１３にストラップ等を取り付けておくことにより、当該遺骨カプセル１０の持ち運びを容易にするようにすることもできる。
【００３１】
勿論、この遺骨カプセル１０は、上述したようなアルミニウム等の金属の引き抜き加工によって形成する他、ガラス、陶磁器、合成樹脂等によって形成してもよいことは言うまでもない。
【００３２】
遺骨カプセル１０の直径を１５ｍｍ〜２５ｍｍとし、長さを４０ｍｍ〜１００ｍｍとしたのは、当該遺骨カプセル１０の製造を容易にするだけでなく、当該遺骨カプセル１０を含むペット用祭壇１００全体の大きさを小さくするためである。また、この程度の大きさであると、当該遺骨カプセル１０を支持台２０から抜き出して持ち運ぶのに手の平内にスッポリと収まるため、非常に有利である。換言すれば、遺骨カプセル１０の大きさがこの範囲より小さければ、製造が容易にならないだけでなく、小さすぎて却って持ち運びがしにくくなるのであり、この範囲より大きければ、小さくしたメリットがなくなるのである。
【００３３】
一方、支持台２０は、幅が２０ｍｍ〜４０ｍｍ、長さが５０ｍｍ〜２５０ｍｍ、そして高さが１５ｍｍ〜３０ｍｍのものとなるように、例えば銘木を使用して形成したものである。この支持台２０は、前述した遺骨カプセル１０を支持するものとすることにより、全体としてペット用祭壇１００とするものであるから、あまり大きすぎても小さすぎてもいけないが、上記の範囲内にするのが最も好ましいものである。
【００３４】
そして、この支持台２０の上面等には、図３にも示したように、支持穴２１が形成してある。この支持穴２１は、前述した遺骨カプセル１０を挿入するためのものであり、垂直に形成して、この支持穴２１内に挿入された遺骨カプセル１０を垂直に立てられるようにしてある。このため、この支持穴２１は、遺骨カプセル１０の外形と略同じ大きさのものである。
【００３５】
また、この最良形態のペット用祭壇１００では、図１、図３、あるいは図６に示したように、支持台２０の上面に写真立て溝２２が形成してある。この写真立て溝２２は、その中に生前のペットの様子を写した写真（図示せず）を挿入して飾るためのものであり、挿入した写真が倒れないようにするため、その深さを支持台２０の厚さの約半分程度としてある。
【００３６】
この写真立て溝２２は、図１に示したように、遺骨カプセル１０の後側または前側に位置する支持台２０上に形成して実施してもよいが、図６に示したように、遺骨カプセル１０の両側に形成しておけば、いずれかの写真立て溝２２を自由に選択できる。
【実施例２】
【００３７】
図４〜図６には、本発明に係るペット用祭壇１００の実施例２が示してあるが、実施例１と共通する部分が多いものであり、この共通部分については、これらの図４〜図６中に、実施例１の説明中で使用したのと同一の符号を付してその説明を省略する。
【００３８】
この実施例２の、実施例１と相違する点は、支持台２０の、支持穴２１の両側に位置する部分の上面を傾斜面２３としたことと、この傾斜面２３の一部に鳴き声発生器４０を埋め込んだことである。この両傾斜面２３は、支持穴２１内に立てた遺骨カプセル１０が天国に向かうイメージを醸し出すものであり、また、支持台２０を銘木で形成したときの木目の美しさを際だたせるものでもある。
【００３９】
鳴き声発生器４０は、録音された生前のペットの鳴き声等を再生することのできるものであり、小さくモジュール化されたものである。勿論、電源や再生用スイッチも含まれている。再生用スイッチを押せば、生前のペットの鳴き声が聞けることになる。
【実施例３】
【００４０】
図７〜図１０には、上述したのとは少し異なる他の実施例が示してある。図７に示したペット用祭壇１００は、半月状の支持台２０の前面に支持穴２１を形成して、この支持穴２１内に遺骨等３０を入れた遺骨カプセル１０を挿入するようにしてある。なお、この例では、半月状の支持台２０の上面に写真立て溝２２を形成しておいて、この写真立て溝２２内に写真を立てるようにしているとともに、この写真の横に花立が立てられるようにしてある。
【００４１】
図８に示した例では、支持台２０の右側に突出部分を形成しておいて、この突出部分に支持穴２１を形成したものである。勿論、この支持穴２１内には、図示したように、遺骨等３０を入れた遺骨カプセル１０が立てられることは言うまでもない。
【００４２】
図９に示した実施例では、支持台２０そのものを壁板状にして、この支持台２０の図示右側に支持穴２１を形成したものである。そして、支持穴２１内に遺骨カプセル１０を挿入することは勿論、左側全体が写真立てとなるものである。
【００４３】
図１０に示した実施例の場合、支持台２０としては箱型にしたものを採用し、この箱内に遺骨カプセル１０を挿入して立てておけるようにしたものである。この場合、箱の前面を写真立てにするとよく、図示したように必要に応じて引出を設けるようにしても良い。
【図面の簡単な説明】
【００４４】
【図１】本発明の実施例１に係るペット用祭壇の分解斜視図である。
【図２】同ペット用祭壇の縦断面図である。
【図３】同ペット用祭壇を構成している支持台の平面図である。
【図４】本発明の実施例２に係るペット用祭壇の分解斜視図である。
【図５】同ペット用祭壇の縦断面図である。
【図６】同ペット用祭壇を構成している支持台の平面図である。
【図７】本発明のペット用祭壇の別例を示す斜視図である。
【図８】同ペット用祭壇の他の例を示す斜視図である。
【図９】同ペット用祭壇のさらに他の例を示す斜視図である。
【図１０】同ペット用祭壇のさらなる別例を示す斜視図である。
【図１１】従来の技術を示す正面図である。
【図１２】従来の他の技術を示す正面図である。
【図１３】従来の技術を示す分解斜視図である。
【符号の説明】
【００４５】
１００    ペット用祭壇
１０    遺骨カプセル
１１    本体
１２    蓋体
１３    つまみ
２０    支持台
２１    支持穴
２２    写真立て溝
２３    傾斜面
３０    遺骨等
４０    鳴き声発生器
【図１】
2006218054.tif 000003
【図２】
2006218054.tif 000004
【図３】
2006218054.tif 000005
【図４】
2006218054.tif 000006
【図５】
2006218054.tif 000007
【図６】
2006218054.tif 000008
【図７】
2006218054.tif 000009
【図８】
2006218054.tif 000010
【図９】
2006218054.tif 000011
【図１０】
2006218054.tif 000012
【図１１】
2006218054.tif 000013
【図１２】
2006218054.tif 000014
【図１３】
2006218054.tif 000015